(57)【要約】【課題】建物内の環境を悪化させることなく、ガラス壁面の強度を高めることができるガラス壁面支持装置を提供する。【解決手段】複数のフェイスガラスを突き合せて構成されたガラス壁面１０に、リブガラス２０ａ〜２０ｃを高さ方向に配置して構成されたリブガラス体２０の一端部を結合する。リブガラス体２０は、高さ方向の上部（床面の上方）に設けられる。また、支持部材３１、３３により構成される支持構造３０を天井に片持ち支持する。そして、リブガラス体２０の他端側を支持構造３０により支持する。【選択図】　　　　図１
2004011372.tif 000002
【特許請求の範囲】
【請求項１】
複数のフェイスガラスを突き合わせたガラス壁面を支持するガラス壁面支持装置であって、
一端側がガラス壁面に結合されたリブガラスと、
リブガラスの他端側を支持する支持部材と、
を備えるガラス壁面支持装置。
【請求項２】
請求項１に記載のガラス壁面支持装置であって、支持部材が建物の天井に片持ち支持されているガラス壁面支持装置。
【請求項３】
請求項１または２に記載のガラス壁面支持装置であって、リブガラスは建物の高さ方向の上部に設けられているガラス壁面支持装置。
【発明の詳細な説明】
【０００１】
【発明の属する技術分野】
本発明は、ガラス壁面支持装置に関する。特に、複数のフェイスガラスを突き合わせて構成したガラス壁面を支持するガラス壁面支持装置に関する。
【０００２】
【従来の技術】
複数のフェイスガラス（通常、板ガラスが用いられる）を突き合わせて建物のガラス壁面を構成する方法が知られている。建物の壁面としてガラス壁面を用いることにより、採光性及び視認性が改善される。また、美観も向上する。
このようなフェイスガラスを突き合わせてガラス壁面を構成する場合には、風圧等による正面方向の力に対するフェイスガラスの強度を高めることができるガラス壁面支持装置を用いる必要がある。
ガラス壁面の強度を高める支持方法としては、ガラス壁面に対して直交し、床面に立設されたリブガラスによりガラス壁面を支持する方法、床面に立設された金属製（例えば、鉄製）の支持部材によりガラス壁面を支持する方法が用いられている。
【０００３】
【発明が解決しようとする課題】
ガラス壁面の強度を高める方法として、ガラス壁面に直交し、床面に立設されたリブガラスによりガラス壁面を支持する方法を用いる場合には、十分な採光性及び視認性を得ることができる。しかしながら、ガラス壁面の高さが高くなると、風圧力等によりガラス壁面が受ける力が大きくなるため、リブガラスとして高い強度を有するリブガラスを用いる必要がある。ここで、リブガラスの強度を高めるには、リブガラスの大きさを大きくする必要がある。リブガラスの大きさが大きくなると、建物内の床面におけるリブガラスの占有面積が大きくなり、建物内が狭くなる。
一方、床面に立設された金属製の支持部材によりガラス壁面を支持する方法を用いる場合には、建物内を狭くすることなくガラス壁面の強度を高めることができる。しかしながら、金属製の支持部材は太陽光を反射する特性を有しているため、ガラス壁面を透過した赤外線や紫外線を含む太陽光が金属製の支持部材により反射される。太陽光、特に熱源となる赤外線が金属製の支持部材で反射されると、建物内の温度が上昇するため、空調設備等によって建物内の温度を調整する必要がある。また、ガラス壁面の近傍に金属製の支持部材が存在すると、美観が損なわれる。
そこで、本発明は、建物内の環境を悪化させることなく、ガラス壁面の強度を高めることができるガラス壁面支持装置を提供することを目的とする。
【０００４】
【課題を解決するための手段】
前記課題を解決するための本発明の第１発明は、請求項１に記載されたとおりのガラス壁面支持装置である。
請求項１に記載のガラス壁面支持装置は、一端側がガラス壁面に結合されたリブガラスと、リブガラスの他端側を支持する支持部材を有している。これにより、ガラス壁面の高さが高くなった場合でも、リブガラスの大きさを大きくすることなくガラス壁面の強度を高めることができる。このため、建物内の有効面積を大きくすることができる。また、支持部材がガラス壁面から離れた位置に配設されるため、ガラス壁面を透過し、支持部材に照射される太陽光の量は少ない。このため、支持部材での太陽光の反射による建物内の温度上昇を抑制することができる。
また、本発明の第２発明は、請求項２に記載されたとおりのガラス壁面支持装置である。
請求項２に記載のガラス壁面支持装置は、支持部材が建物の天井に片持ち支持されている。支持部材が天井に片持ち支持されている、すなわち、床面に立設されていない。このように、支持部材が高さ方向の上部に配設されていると、ガラス壁面を透過し、支持部材に照射される太陽光の量が一層少なくなる。これにより、支持部材での太陽光の反射による建物内の温度上昇を一層抑制することができる。また、支持部材の高さ方向の下部が空間部となるため、人の視界の妨げになることがなく、美観も良好となる。さらに、支持部材の高さ方向の下部の床部分や空間部分を利用することができるため、建物内の有効面積を広くすることができる。
また、本発明の第３発明は、請求項３に記載されたとおりのガラス壁面支持装置である。
請求項３に記載のガラス壁面支持装置は、リブガラスが建物の高さ方向の上部に設けられている。すなわち、リブガラスが床面から立設されていない。これにより、リブガラスの下部の床部分や空間部分を利用することができるため、建物内の有効面積をより広くすることができる。また、建物内の美観も向上させることができる。
【０００５】
【発明の実施の形態】
以下に、本発明の実施の形態を図面を参照して説明する。
本発明のガラス壁面支持装置の一実施の形態を図１〜図３に示す。なお、図１は本実施の形態の概略図、図２は図１のＩＩ−ＩＩ線矢視図、図３は図１のＩＩＩ−ＩＩＩ線矢視図である。図１は、室外側からガラス壁面を見た図である。
本実施の形態は、一端側がガラス壁面１０に結合されたリブガラス体２０と、リブガラス体２０の他端側を支持する支持構造３０を有している。
【０００６】
ガラス壁面１０は、複数のフェイスガラス（例えば、フロートガラス）１０ａ〜１０ｆを突き合わせて構成されている。フェイスガラス１０ａ〜１０ｆを突き合わせる方法としては、公知の種々の方法を用いることができる。例えば、メタルポイント支持工法やカーテンウォール工法等を用いることができる。
【０００７】
リブガラス体２０は、建物の室内側に、ガラス壁面１０に対して略直交するように配置されている。リブガラス体２０は、１枚のリブガラスによって、または建物の高さ方向（縦方向）に配置された複数枚のリブガラスによって構成される。本実施の形態では、リブガラス体２０は、３枚のリブガラス２０ａ〜２０ｃによって構成されている。複数枚のリブガラスによりリブガラス体２０を構成する場合には、リブガラスを直接連結してもよいが、ゴム等の緩衝部材を介して連結するのが好ましい。
なお、本明細書では、「リブガラス」という記載は、特に断りがない場合には、１枚または複数枚のリブガラスで構成されるリブガラス体を意味する。
リブガラス２０ａ〜２０ｃとしては、後述するボルトを挿通するための挿通孔を加工する必要があるため、強化ガラスを用いるのが好ましい。
リブガラス体２０（リブガラス２０ａ〜２０ｆ）の一端側はガラス壁面１０に結合されている。例えば、図２に示すように、リブガラス体２０（リブガラス２０ａ〜２０ｆ）の一端側は、フェイスガラス１０ａ、１０ｄの突合せ部にシール部材２１ａを介して結合されている。
リブガラス体２０は、図３に示すように、建物の高さ方向（縦方向）の上部（床面より上方）に設けられている。すなわち、リブガラス体２０は、床から立設されていない。これにより、リブガラス体２０の下部の床面部や空間部を有効利用することができる。
【０００８】
支持構造３０は、一対の支持部材３１、３３等を有している。
支持部材３１、３３は、一端側が建物の天井に取り付けられている。すなわち、支持部材３１、３３は、天井に片持ち支持されている。また、支持部材３１、３３は、補強部材５１によって補強支持されている。
支持部材３１、３３は、例えば、ステンレスや鉄等の金属によって形成される。
支持部材３１と３３の間隔は、間隔保持部材４１によって所定間隔以下にならないように調整されている。間隔保持部材４１は、天井から吊り下げてもよいし、支持部材３１、３３に固定してもよい。
本実施の形態では、支持部材３１、３３は、建物の天井に片持ち支持されている。すなわち、支持部材３１、３３は、床から立設されていない。これにより、支持部材３１、３３、したがって、支持構造３０の下部の床面部や空間部を有効利用することができる。
【０００９】
リブガラス体２０（リブガラス２０ａ〜２０ｃ）の他端側は、支持部材３１と３３により挟持される。
ここで、リブガラス体２０（リブガラス２０ａ〜２０ｃ）の他端側には、ボルト４５を挿通するための挿通孔２３が形成されている。また、支持部材３１、３３にも、リブガラス体２０（リブガラス２０ａ〜２０ｃ）を挟持する箇所に、ボルト４５を挿通するための挿通孔３２、３４が形成されている。
そして、リブガラス体２０（リブガラス２０ａ〜２０ｃ）の他端側を支持部材３１と３３で挟持した状態で、挿通孔２３、３２、３４にボルト４５を挿通し、ボルト４５にナット４６を取り付けてボルト４５を固定する。これにより、リブガラス体２０（リブガラス２０ａ〜２０ｃ）の他端側は、支持部材３１、３３に支持される。
なお、リブガラス体２０（リブガラス２０ａ〜２０ｃ）と支持部材３１、３３との間には、ワッシャ４３が配設される。ワッシャ４３は、例えば、ステンレスにより形成される。
また、リブガラス体２０（リブガラス２０ａ〜２０ｃ）の他端部には緩衝部材４２が設けられている。これにより、リブガラス体２０（リブガラス２０ａ〜２０ｃ）の他端部と間隔保持部材４１との接触が抑制されている。緩衝部材４２は、例えば、ゴムにより形成される。
また、支持部材３１と３３により形成される空間部の、ワッシャ４３よりガラス壁面１０側の箇所には、シール部材４４が設けられている。シール部材４４は、例えばシリコンにより形成される。
ここで、リブガラス体２０（リブガラス２０ａ〜２０ｃ）の他端側の複数箇所を支持部材３１、３３に固定するのが好ましい。本実施の形態では、図３に示すように、高さ方向の２箇所で、ボルトを用いてリブガラス２０ａ〜２０ｃを支持部材３１、３３に固定している。
【００１０】
以上のように構成されている本実施の形態は、以下のような効果を有する。
ガラス壁面１０は、リブガラス体２０（リブガラス２０ａ〜２０ｃ）を介して金属性等の支持部材３１、３３により支持されている。すなわち、支持部材３１、３３は、ガラス壁面から離れた位置に配置される。このため、ガラス壁面１０を透過し、支持部材３１、３３に照射される太陽光の量を減少させることができる。さらに、支持部材３１、３３を高さ方向の上部（床面の上方）に配置することにより、ガラス壁面を透過し、支持部材３１、３３に照射される太陽光の量をより減少させることができる。支持部材３１、３３に照射される太陽光の量が減少することにより、支持部材３１、３３から反射される太陽光の量が減少する。したがって、支持部材３１、３３で反射される太陽光（特に、赤外線）による建物内の温度上昇を抑制することができ、建物内の環境（室内温度等）を良好に維持することができる。特に、金属製の支持部材３１、３３を用いる場合には、反射光による温度上昇抑制効果が高い。
また、ガラス壁面１０と支持部材３１、３３との間に設けられるリブガラス体２０として透明のリブガラス体を用いることにより、ガラス壁面１０が単独で立設しているように見えるため、美観が向上する。
また、リブガラス体２０の大きさを大きくする必要がないため、例えば、リブガラス体を強化ガラスで構成する場合でも、コストを低減することができる。さらに、リブガラスの床面上における占有面積の増大による建物内の有効面積の減少を防止することができる。
また、リブガラス体２０や支持部材３１、３３を建物の高さ方向（縦方向）の上部（床面の上方）に設けている（床面に立設していない）ため、リブガラス体２０や支持部材３１、３３の下方の床部分や空間部を有効に利用することができる。これにより、広く快適な環境を得ることができる。
また、リブガラス体２０や支持部材３１、３３の高さ方向の下部が空間部として形成されるため、視認性が向上し、美観も向上する。
【００１１】
本発明は、実施の形態で説明した構成に限定されず種々の変更、追加、削除が可能である。
例えば、リブガラス体２０を複数のリブガラス２０ａ〜２０ｃで構成したが、リブガラス体２０は１つのリブガラスで構成することもできる。
また、リブガラス体２０を建物の高さ方向の上方に設けた（リブガラス体２０と床面との間に空間を設けた）が、リブガラス体２０は床面から立設させてもよい。この場合には、リブガラス体２０の高さ方向の下部を利用することができないが、リブガラス体２０の占有面積は許容可能な大きさに抑えることができ、また、リブガラス体２０により美観を向上させることもできる。
また、リブガラス体２０を支持する支持部材としてリブガラス体２０を挟持する構造の支持部材を用いたが、リブガラス体２０を支持する支持部材としては種々の構造の支持部材を用いることができる。
また、リブガラス体２０をボルトを用いて支持部材に固定したが、リブガラス体２０を支持部材に固定する方法としては種々の固定方法を用いることができる。
また、支持部材を天井に片持ち支持し、支持部材３１、３３の高さ方向の下部に空間部を設けたが、支持部材は床面に立設させてもよい。この場合には、支持部材の高さ方向の下部を利用することができないが、支持部材をガラス壁面から離して配置することができるため、ガラス壁面を透過し、支持部材に照射される太陽光の量を減少させることができる。これにより、支持部材で反射した太陽光による建物内の温度上昇を抑制することができる。
また、リブガラスの形状、ガラス壁面との結合位置、数等は適宜変更可能である。
また、リブガラス体や支持部材の高さ（床面からの高さ）は適宜変更可能である。
また、ガラス壁面やリブガラス体は色がつけられていてもよい。また、ガラス壁面やリブガラス体は、一方側から、ガラス壁面やリブガラス体を通して反対側の物体の形状を確認することができる程度の透明性を有していればよい。さらに、ガラス壁面やリブガラス体は透明性を有していなくてもよい。
また、本発明は、建物の外部との境界部に設けられるガラス壁面以外の種々のガラス壁面の支持装置として用いることができる。
【００１２】
【発明の効果】
以上説明したように、請求項１〜３に記載のガラス壁面支持装置を用いれば、建物内の環境を悪化させることなく、ガラス壁面の強度を高めることができる。
【図面の簡単な説明】
【図１】本発明の一実施の形態の概略図である。
【図２】図１のＩＩ−ＩＩ線断面図である。
【図３】図１のＩＩＩ−ＩＩＩ線矢視図である。
【符号の説明】
１０　ガラス壁面
１０ａ〜１０ｆ　フェイスガラス
２０　リブガラス体
２０ａ〜２０ｃ　リブガラス
３１、３３　支持部材
２１ａ、４４　シール
４１　間隔保持部材
４２　緩衝部材
４３　ワッシャ
４５　ボルト
４６　ナット
５１　補強部材
【図１】
2004011372.tif 000003
【図２】
2004011372.tif 000004
【図３】
2004011372.tif 000005